(57)【要約】【課題】居住者を居住者識別部で識別した時点において、居室親機のスピ−カから帰宅音を鳴動させると共に、居室親機のタッチパネル付モニタに帰宅時用モニタボタンを所定時間表示させる。【解決手段】集合住宅のエントランスに設けられるカメラ１１を有するカメラ付集合玄関機１と、居室に設けられるタッチパネル付モニタ３４を有する居室親機３ａ、３ｂ、…と、カメラ付集合玄関機および居室親機を制御するための制御装置７とから構成され、カメラ付集合玄関機は、集合住宅の居住者を識別するための居住者識別部１２を併設または内蔵し、居室親機は、居住者識別部で識別されたときスピーカ３２から予め設定された帰宅音を鳴動させるための帰宅音メモリと、居住者識別部で居住者が識別されたときから所定時間モニタ可能でカメラ付集合玄関機のカメラを起動するための帰宅時用モニタボタンをタッチパネル付モニタに表示させるための画像メモリとを備えている。【選択図】図１
2004304553.tif 000002
【特許請求の範囲】
【請求項１】
集合住宅のエントランスに設けられるカメラ（１１）を有するカメラ付集合玄関機（１）と、居室に設けられるタッチパネル付モニタ（３４）を有する居室親機（３ａ、３ｂ、…）と、前記カメラ付集合玄関機および前記居室親機を制御するための制御装置（７）とから構成され、
前記カメラ付集合玄関機は、前記集合住宅の居住者を識別するための居住者識別部（１２）を併設または内蔵し、
前記居室親機は、前記居住者識別部で識別されたときスピーカ（３２）から予め設定された帰宅音を鳴動させるための帰宅音メモリ（５０）と、前記居住者識別部で前記居住者が識別されたときから所定時間モニタ可能で前記カメラ付集合玄関機の前記カメラを起動するための帰宅時用モニタボタン（３５ａ）を前記タッチパネル付モニタに表示させるための画像メモリ（３８）とを備えたことを特徴とする集合住宅インターホンシステム。
【請求項２】
集合住宅のエントランスに設けられるカメラ（１１）を有するカメラ付集合玄関機（１）と、居室に設けられるタッチパネル付モニタ（３４）を有する居室親機（３ａ、３ｂ、…）と、前記カメラ付集合玄関機および前記居室親機を制御するための制御装置（７）とから構成され、
前記カメラ付集合玄関機は、前記集合住宅の居住者を識別するための居住者識別部（１２）を併設または内蔵し、
前記制御装置には、前記集合住宅のエントランスに設けられる監視カメラ（２）を接続し、
前記居室親機は、前記居住者識別部で識別されたときスピーカ（３２）から予め設定された帰宅音を鳴動させるための帰宅音メモリ（５０）と、前記居住者識別部で前記居住者が識別されたときから所定時間モニタ可能で前記監視カメラを起動するための帰宅時用モニタボタン（３５ａ）を前記タッチパネル付モニタに表示させるための画像メモリ（３８）とを備えたことを特徴とする集合住宅インターホンシステム。
【請求項３】
集合住宅のエントランスに設けられるカメラ（１１）を有するカメラ付集合玄関機（１）と、居室に設けられるタッチパネル付モニタ（３４）を有する居室親機（３ａ、３ｂ、…）と、前記居室の玄関に設けられる居室玄関カメラ（４１）を有するカメラ付玄関子機（４ａ、４ｂ、…）と、前記カメラ付集合玄関機および前記居室親機を制御するための制御装置（７）とから構成され、
前記カメラ付集合玄関機は、前記集合住宅の居住者を識別するための居住者識別部（１２）を併設または内蔵し、
前記居室親機は、前記居住者識別部で識別されたときスピーカ（３２）から予め設定された帰宅音を鳴動させるための帰宅音メモリ（５０）と、前記居住者識別部で前記居住者が識別されたときから所定時間モニタ可能で前記カメラ付玄関子機の前記居室玄関カメラを起動するための帰宅時用モニタボタン（３５ａ）を前記タッチパネル付モニタに表示させるための画像メモリ（３８）とを備えたことを特徴とする集合住宅インターホンシステム。
【請求項４】
前記制御装置には、前記居住者識別部で前記居住者が識別されたとき解錠される電気錠付ドア（６）が接続されることを特徴とする請求項１乃至請求項３何れか１項記載の集合住宅インターホンシステム。
【発明の詳細な説明】
【０００１】
【発明の属する技術分野】
本発明は、集合住宅インターホンシステムに係わり、特に居住者が帰宅したときに集合住宅のエントランスや居室玄関の周辺の様子をモニタすることができる集合住宅インターホンシステム関する。
【０００２】
【従来の技術】
従来から、この種の集合住宅インターホンシステムとして、集合住宅のエントランスに個人識別装置を設置する一方、各住戸内に住宅情報盤を設置した構成の集合住宅インターホンシステムであって、上記住宅情報盤は、予めその住戸の居住者の各々に対応した音を設定しており、上記個人識別装置は、いずれかの住戸の居住者を識別したときには、その住戸の住宅情報盤に個人情報を送信する一方、上記住宅情報盤は、上記個人情報を受信したときには、その居住者に対応して設定された音を出力する構成の集合住宅インターホンシステムが知られている（例えば、特許文献１参照）。
【０００３】
このような構成の集合住宅インターホンシステムによれば、外出先から帰宅した居住者は、個人識別装置による識別操作をするだけで、住戸内の居住者に、帰宅したことを知らせることができ、また、住戸内の居住者が応答するまで待つ必要もなくなり、さらに、住戸内の居住者は、住宅情報盤によって通話したり、モニタに映し出される画像を確認しなくても、出力される音によって、帰宅した人を特定することができる。
【０００４】
【特許文献１】特開２００２−１６７１４号公報  （段落番号「００２２」〜「００５２」、図１〜図４）
【０００５】
【発明が解決しようとする課題】
しかしながら、このような構成の集合住宅インターホンシステムにおいては、住戸内の居住者がモニタに映し出される画像を確認せずに、自動的に電気錠付ドアを開けてしまうと、不審者が侵入する虞があり、防犯上の問題が生じる虞があった。
【０００６】
一方、住戸内の居住者がモニタに映し出される画像を確認するとしても、従来の居室親機においては、モニタボタンがタッチパネルの下位層にあるため、例えば、先ず、メニュー画面を表示させ、次いで、インターホン機能を実行できる表示部を表示をさせ、さらに、モニタボタンの表示部を表示させるという３段階のタッチ操作が必要であり、迅速にモニタすることができず、また、タッチパネルの操作が面倒であるという難点があった。
【０００７】
本発明は、このような集合住宅インターホンシステムの難点を解決するためになされたもので、居住者を居住者識別部で識別した時点において、居室親機のスピ−カから帰宅音を鳴動させると共に、居室親機のタッチパネル付モニタに帰宅時用モニタボタンを所定時間表示させることができる集合住宅インターホンシステムを提供することを目的とする。
【０００８】
【課題を解決するための手段】
上記の目的を達成するため、本発明の集合住宅インターホンシステムは、集合住宅のエントランスに設けられるカメラを有するカメラ付集合玄関機と、居室に設けられるタッチパネル付モニタを有する居室親機と、カメラ付集合玄関機および居室親機を制御するための制御装置とから構成され、カメラ付集合玄関機は、集合住宅の居住者を識別するための居住者識別部を併設または内蔵し、居室親機は、居住者識別部で識別されたときスピーカから予め設定された帰宅音を鳴動させるための帰宅音メモリと、居住者識別部で居住者が識別されたときから所定時間モニタ可能でカメラ付集合玄関機のカメラを起動するための帰宅時用モニタボタンをタッチパネル付モニタに表示させるための画像メモリとを備えている。
【０００９】
また、本発明の集合住宅インターホンシステムは、集合住宅のエントランスに設けられるカメラを有するカメラ付集合玄関機と、居室に設けられるタッチパネル付モニタを有する居室親機と、カメラ付集合玄関機および居室親機を制御するための制御装置とから構成され、カメラ付集合玄関機は、集合住宅の居住者を識別するための居住者識別部を併設または内蔵し、制御装置には、集合住宅のエントランスに設けられる監視カメラを接続し、居室親機は、居住者識別部で識別されたときスピーカから予め設定された帰宅音を鳴動させるための帰宅音メモリと、居住者識別部で居住者が識別されたときから所定時間モニタ可能で監視カメラを起動するための帰宅時用モニタボタンをタッチパネル付モニタに表示させるための画像メモリとを備えている。
【００１０】
また、本発明の集合住宅インターホンシステムは、集合住宅のエントランスに設けられるカメラを有するカメラ付集合玄関機と、居室に設けられるタッチパネル付モニタを有する居室親機と、居室の玄関に設けられる居室玄関カメラを有するカメラ付玄関子機と、カメラ付集合玄関機および居室親機を制御するための制御装置とから構成され、カメラ付集合玄関機は、集合住宅の居住者を識別するための居住者識別部を併設または内蔵し、居室親機は、居住者識別部で識別されたときスピーカから予め設定された帰宅音を鳴動させるための帰宅音メモリと、居住者識別部で居住者が識別されたときから所定時間モニタ可能でカメラ付玄関子機の居室玄関カメラを起動するための帰宅時用モニタボタンをタッチパネル付モニタに表示させるための画像メモリとを備えている。
【００１１】
また、本発明の集合住宅インターホンシステムにおける制御装置には、居住者識別部で居住者が識別されたとき解錠される電気錠付ドアが接続されている。
【００１２】
本発明の集合住宅インターホンシステムによれば、居住者を居住者識別部で識別した時点において、居室親機のスピ−カから帰宅音を鳴動させると共に、居室親機のタッチパネル付モニタに帰宅時用モニタボタンを所定時間表示させることができることから、居室内に居る家族は、帰宅時用モニタボタンをタッチ操作することにより、集合玄関機カメラ、監視カメラおよび居室玄関カメラの何れか一つのカメラを迅速かつ容易に起動させることができ、ひいては、集合住宅のエントランスや居室玄関の周辺の様子を迅速にモニタすることができる。また、居住者を居住者識別部で識別した時点において、電気錠付ドアを解錠させることができることから、不審者の侵入を防止することができる。
【００１３】
【発明の実施の形態】
以下、本発明の集合住宅インターホンシステムの好ましい実施の形態例について、図面を参照して詳述する。ここで、図１は、本発明の一実施例における集合住宅インターホンシステムのシステム構成図、図２は、本発明の一実施例における居室親機のブロック図、図３は、本発明の一実施例における居室親機の拡大図を示している。
【００１４】
図１において、本発明の集合住宅インターホンシステムは、集合住宅のエントランスに設置されるカメラ付集合玄関機１および監視カメラ２と、集合住宅の各住戸内に設置される居室親機３ａ、３ｂ、…と、集合住宅の住戸玄関に設置されるカメラ付玄関子機４ａ、４ｂ、…と、管理人室に設置される管理室親機５と、集合住宅のエントランスに設置される電気錠付ドア６と、カメラ付集合玄関機１、監視カメラ２、各居室親機３ａ、３ｂ、…管理室親機５および電気錠付ドア６を制御するための制御装置７とを備えている。ここで、制御装置７は、第１の伝送路Ｌ１を介してカメラ付集合玄関機１に、第２の伝送路Ｌ２を介して複数の居室親機３ａ、３ｂ、…に、第３の伝送路Ｌ３を介して管理室親機５に、第４の伝送路Ｌ４を介して電気錠付ドア６に、第５の伝送路Ｌ５を介して監視カメラ２にそれぞれ接続され、各居室親機３ａ、３ｂ、…には、それぞれ第６の伝送路Ｌ６を介して対応するカメラ付玄関子機４ａ、４ｂ、…が接続されている。なお、第１〜第６の伝送路Ｌ１〜Ｌ６は、それぞれ通話信号伝送路および映像信号伝送路から成るペア線で構成されている。
【００１５】
カメラ付集合玄関機１は、カメラ（以下「集合玄関機カメラ」という。）１１、居住者識別部１２、呼出操作部１３、マイク（以下「集合玄関機マイク」という。）１４およびスピーカ（以下「集合玄関機スピーカ」という。）１５の各部を備えており、また、各カメラ付玄関子機４ａ、４ｂ、…はそれぞれ同様の構成とされ、カメラ（以下「居室玄関カメラ」という。）４１、（以下「居室玄関マイク」という。）４２およびスピーカ（以下「居室玄関スピーカ」という。）４３の各部を備えている。
【００１６】
各居室親機３ａ、３ｂ、…は、それぞれ同様の構成とされ、図２に示すように、カメラ付集合玄関機１と通話をするための通話回路３１、スピーカ（以下「親機スピーカ」という。）３２およびマイク（以下「親機マイク」という。）３３と、インターホン機能の設定やインターホン機能の操作をするためのタッチパネル３４ａおよびモニタ３４ｂ（以下「タッチパネル付モニタ３４」という。）と、タッチパネル付モニタ３４に出画するための映像を復調するための映像信号復調回路３６と、呼出信号の受信やカメラ起動信号の送信を行なうためのデータ送受信回路３７と、集合玄関機カメラ１１、監視カメラ２、若しくは居室玄関カメラ４１を起動するための帰宅時用モニタボタン３５ａ（図３参照）をタッチパネル付モニタ３４に表示させるための画像メモリ３８と、帰宅時用モニタボタン３５ａを所定時間表示させるための時間３５ｂ（図３参照）を計時するためのタイマ３９と、居住者識別部１２で識別されたときスピーカ３２から予め設定された帰宅音を鳴動させるための帰宅音メモリ５０と、居室親機３ａ、３ｂ、…の各部（回路）を制御するためのＣＰＵ５１と、インターフェイス（以下「ＩＦ」という。）５２とを備えている。ここで、ＣＰＵ５１は、通話回路３１、タッチパネル３４ａ、モニタ３４ｂ、映像信号復調回路３６、データ送受信回路３７、画像メモリ３８、タイマ３９および帰宅音メモリ５０に接続され、通話回路３１には親機スピーカ３２および親機マイク３３が、映像信号復調回路３６にはモニタ３４ｂが接続されている。また、ＩＦ５２は、通話回路３１、映像信号復調回路３６、データ送受信回路３７および第２、第６の伝送路Ｌ２、Ｌ６に接続されている。
【００１７】
次に、このように構成された集合住宅インターホンシステムの動作について説明する。なお、カメラ付集合玄関機１の有する通話機能（集合玄関機マイク１４および集合玄関機スピーカ１５）と居室親機３ａ、３ｂ、…の有する通話機能（親機スピーカ３２および親機マイク３３）との間に、第１の伝送路Ｌ１、制御装置７および第２の伝送路Ｌ２を介して通話路が形成される点、および来客がカメラ付集合玄関機１の呼出操作部１３で住戸内の居住者を呼出し、これに居住者が応答し、来客を確認して解錠ボタン（不図示）を操作することにより、電気錠付ドア６のロックを解除する点は、従来の集合住宅インターホンシステムの動作と同様であることから詳細な説明を省略し、ここでは、帰宅音の鳴動や帰宅時用モニタボタンをタッチパネル付モニタに表示させる動作を中心にして説明する。
【００１８】
まず、各居室の居住者は、ＩＤ番号等の居住者情報が記憶されている居住者識別カード（不図示）を携帯している。
【００１９】
今、ある居室の居住者、例えば居室親機３ａ（以下「第１の居室親機３ａ」という。）に係る居室（以下「第１の居室」という。）の居住者（以下「第１の居住者」という。）が第１の居住者が携帯している居住者識別カードを居住者識別部１２に近接させると、当該居住者識別部１２において第１の居住者の居住者情報が読取られ、当該居住者情報が第１の伝送路Ｌ１を介して制御装置７へ転送される。
【００２０】
そして、かかる居住者情報が制御装置７で検出されると、制御装置７の制御により、制御装置７に内蔵された部屋番号テーブル（不図示）が参照され、第１の居住者が何れの居室親機３ａ、３ｂ、…の部屋番号に対応しているかの判別がなされる。この実施例では、第１の居住者は第１の居室の部屋番号に対応している。
【００２１】
このようにして、部屋番号テーブルから第１の居室の部屋番号が割り出されると、制御装置７から、第１の居住者が帰宅した旨の信号（以下「帰宅信号」という。）と解錠制御信号が出力され、前者の帰宅信号は、第２の伝送路Ｌ２、第１の居室親機３ａのＩＦ（以下「第１のＩＦ」という。）５２および第１の居室親機３ａのデータ送受信回路（以下「第１のデータ送受信回路」という。）３７を介して第１の居室親機３ａのＣＰＵ（以下「第１のＣＰＵ」という。）５１へ伝送され、後者の解錠制御信号は、第４の伝送路Ｌ４を介して電気錠付ドア６へ伝送される。
【００２２】
そして、かかる帰宅信号が第１のＣＰＵ５１で検出されると、第１のＣＰＵ５１の制御により、第１の居室親機３ａの帰宅音メモリ（以下「第１の帰宅音メモリ」という。）５０から帰宅音が読み出され、当該帰宅音が第１の居室親機３ａの通話回路（以下「第１の通話回路」という。）３１を介して第１の居室親機３ａのスピーカ（以下「第１のスピーカ」という。）３２へ伝送され、第１のスピーカ３２から通常の呼出音と異なった帰宅音が放音される。これにより、第１の居室内に居る家族（以下「第２の居住者」という。）は、第１の居住者が帰宅したことを帰宅音によって確認することができる。
【００２３】
また、これと共に、第１のＣＰＵ５１の制御により、第１の居室親機３ａの画像メモリ（以下「第１の画像メモリ」という。）３８から、帰宅時用モニタボタン３５ａ（図３参照）の画像が読み出され、当該画像が第１の居室親機３ａのタッチパネル付モニタ（以下「第１のタッチパネル付モニタ」という。）３４へ伝送され、これにより、第１のタッチパネル付モニタ３４に帰宅時用モニタボタン３５ａが表示される。ここで、タイマ３９により、帰宅時用モニタボタン３５ａが第１のタッチパネル付モニタ３４に有効に表示される時間が計時され、所定時間（２０〜３０秒程度）経過しても帰宅時用モニタボタン３５ａをタッチ操作しない場合は消画され待受状態に戻る。
【００２４】
そして、第２の居住者が帰宅時用モニタボタン３５ａを例えば１回タッチ操作すると、第１のＣＰＵ５１の制御により、第１のＣＰＵ５１からカメラ起動信号（以下「集合玄関機カメラ起動信号」という。）が出力され、この集合玄関機カメラ起動信号が第１のデータ送受信回路３７、第１のＩＦ５２、第２の伝送路Ｌ２、制御装置７および第１の伝送路Ｌ１を介してカメラ付集合玄関機１へ伝送される。
【００２５】
これにより、集合玄関機カメラ１１が起動され、集合玄関機カメラ１１によって第１の居住者やエントランスの周囲の映像が撮像される。そして、撮像された映像信号は、第１の伝送路Ｌ１、制御装置７、第２の伝送路Ｌ２、第１のＩＦ５２および第１の居室親機３ａの映像信号復調回路（以下「第１の映像信号復調回路」という。）３６を介して第１のタッチパネル付モニタ３４へ伝送される。これにより、第１のタッチパネル付モニタ３４に第１の居住者やエントランスの周囲の映像が出画される。
【００２６】
次に、第２の居住者が帰宅時用モニタボタン３５ａを例えば２回連続してタッチ操作すると、第１のＣＰＵ５１の制御により、第１のＣＰＵ５１からカメラ起動信号（以下「居室玄関カメラ起動信号」という。）が出力され、この居室玄関カメラ起動信号が第１のデータ送受信回路３７、第１のＩＦ５２および第６の伝送路Ｌ６を介して第１の居室親機３ａに対応する居室カメラ付玄関子機（以下「第１の居室カメラ付玄関子機」という。）４ａへ伝送される。
【００２７】
これにより、第１の居室カメラ付玄関子機の居室玄関カメラ４１ａが起動され、居室玄関カメラ４１ａによって居室の周囲の映像が撮像される。そして、撮像された映像信号は、第６の伝送路Ｌ６、第１のＩＦ５２および第１の映像信号復調回路３６を介して第１のタッチパネル付モニタ３４へ伝送される。これにより、第１のタッチパネル付モニタ３４に居室玄関の周囲の映像が出画される。
【００２８】
続いて、第２の居住者が帰宅時用モニタボタン３５ａを例えば３回連続してタッチ操作すると、第１のＣＰＵ５１の制御により、第１のＣＰＵ５１からカメラ起動信号（以下「監視カメラ起動信号」という。）が出力され、この監視カメラ起動信号が第１のデータ送受信回路３７、第１のＩＦ５２、第２の伝送路Ｌ２、制御装置７および第５の伝送路Ｌ５を介して監視カメラ２へ伝送される。
【００２９】
これにより、監視カメラ２が起動され、監視カメラ２によってエントランスの周囲の映像が撮像される。そして、撮像された映像信号は、第５の伝送路Ｌ５、制御装置７、第２の伝送路Ｌ２、第１のＩＦ５２および第１の映像信号復調回路３６を介して第１のタッチパネル付モニタ３４へ伝送される。これにより、第１のタッチパネル付モニタ３４にエントランスの周囲の映像が出画される。
【００３０】
なお、前述の実施例においては、帰宅時用モニタボタン３５ａのタッチ操作の繰り返しにより、カメラ付集合玄関機１、カメラ付玄関子機４ａ、４ｂ、…および監視カメラの何れかに切り換えているが、タッチパネル付モニタ３４上に集合玄関機カメラ１１、居室玄関カメラ４１および監視カメラ２を起動させる帰宅時用モニタボタン３５ａを分割して同時に表示してもよい。また、前述の実施例においては、居住者識別カードを使用して居住者を識別しているが、居住者の指紋を指紋読取装置等から成る居住者識別部で照合してもよく、さらに、居住者識別部はカメラ付集合玄関機に内蔵させずに、カメラ付集合玄関機と居住者識別部とを別体で構成してもよく、また、居室親機は２台に限定されず、集合住宅インターホンシステムの規模に応じてその台数を増減してもよい。
【００３１】
【発明の効果】
以上の説明から明らかなように、本発明の集合住宅インターホンシステムによれば、居住者を居住者識別部で識別した時点において、居室親機のスピ−カから帰宅音を鳴動させると共に、居室親機のタッチパネル付モニタに帰宅時用モニタボタンを所定時間表示させることができることから、居室内に居る家族は、帰宅時用モニタボタンをタッチ操作することにより、集合玄関機カメラ、監視カメラおよび居室玄関カメラの何れか一つのカメラを迅速かつ容易に起動させることができ、ひいては、集合住宅のエントランスや居室玄関の周辺の様子を迅速にモニタすることができる。また、居住者を居住者識別部で識別した時点において、電気錠付ドアを解錠させることができることから、不審者の侵入を防止することができる。
【図面の簡単な説明】
【図１】本発明の集合住宅インターホンシステムのシステム構成図。
【図２】本発明の集合住宅インターホンシステムにおける居室親機のブロック図。
【図３】本発明の集合住宅インターホンシステムにおける居室親機の拡大図。
【符号の説明】
１・・・カメラ付集合玄関機
１１・・・カメラ（集合玄関機カメラ）
１２・・・居住者識別部
２・・・監視カメラ
３ａ、３ｂ・・・居室親機
３２・・・スピーカ（親機スピーカ）
３４・・・タッチパネル付モニタ
３５ａ・・・帰宅時用モニタボタン
３８・・・画像メモリ
５０・・・帰宅音メモリ
４ａ、４ｂ・・・カメラ付玄関子機
４１・・・居室玄関カメラ
６・・・電気錠付ドア
７・・・制御装置
【図１】
2004304553.tif 000003
【図２】
2004304553.tif 000004
【図３】
2004304553.tif 000005